(57)【要約】【課題】デジタルカメラ等で撮影されたカラー画像データを受信した場合でも、そのカラー画像データを不用意に失わないようにしたカラー画像通信装置を提供する。【解決手段】相手（発呼先）からファクシミリ受信し（ＳＴ１）、受信データはカラー画像データであるか判定し（ＳＴ２）、モノクロ画像データである場合は、通常のプリント処理を行う（ＳＴ６）。カラー画像データである場合は、ＣＩＥＬＡＢ−ＪＰＥＧ画像データなのか判定し（ＳＴ３）、そうであるなら、通常のプリント処理を行う（ＳＴ６）。カラー画像データがｓＹＣＣ−ＪＰＥＧ画像データであるときは、ｓＹＣＣ−ＪＰＥＧ画像データを受信したことをユーザに表示やプリントにより報知し（ＳＴ４）、受信したｓＹＣＣ−ＪＰＥＧ画像データを画像メモリ６に記憶する（ＳＴ５）。【選択図】　　　図２
2004140542.tif 000002
【特許請求の範囲】
【請求項１】
ファクシミリ通信手順に則したカラー画像データと、ｓＹＣＣ−ＪＰＥＧ色空間の画像データとが受信可能なカラー画像通信装置であって、
ｓＹＣＣ−ＪＰＥＧ色空間の画像データを受信した場合に、そのｓＹＣＣ−ＪＰＥＧ色空間の画像データを記憶する記憶手段と、そのｓＹＣＣ−ＪＰＥＧ色空間の画像データを受信したことを報知する報知手段と、そのｓＹＣＣ−ＪＰＥＧ色空間の画像データの処遇をユーザに問う選択手段とを備えたことを特徴とするカラー画像通信装置。
【請求項２】
受信した画像データを記録する画像記録手段を備え、ｓＹＣＣ−ＪＰＥＧ色空間の画像データを受信した場合は、その旨を前記報知手段により報知し、ｓＹＣＣ−ＪＰＥＧ色空間の画像データ以外の画像データを受信した場合は、その画像データを前記画像記録手段により記録することを特徴とする請求項１記載のカラー画像通信装置。
【発明の詳細な説明】
【０００１】
【発明の属する技術分野】
この発明は、ファクシミリ装置、コピー装置、それらの複合機等に使用されるカラー画像通信装置に関する。
【０００２】
【従来の技術】
近年、カラー読み取り装置を備え、読み取ったカラー画像も電話回線を介して伝送するカラーファクシミリ装置が開発されている。この種のカラーファクシミリ装置の画像伝送は、ＩＴＵ−Ｔ勧告Ｔ．８１に従って行われるものであり、このＴ．８１では、カラー画像データをＣＩＥ（国際照明委員会）表色系のＬＡＢ色空間のＪＰＥＧ画像データ（以下、ＣＩＥＬＡＢ−ＪＰＥＧ画像データという）で伝送することが規程されている。このため、ＣＩＥＬＡＢ−ＪＰＥＧ画像データについては、自機で読み取った画像データをファックス伝送できる。
【０００３】
ところで、カラーファクシミリ装置（ＭＦＰを含む）の場合、取り扱う画像データのサイズや解像度等の情報は従来からあるファクシミリ装置に則する。一方、デジタルカメラやＰＣ（パーソナルコンピュータ）で扱う画像データは、通常はｓ（スタンダード）ＹＣＣ色空間のＪＰＥＧ画像データ（以下、ｓＹＣＣ−ＪＰＥＧ画像データという）で表現されており、このｓＹＣＣ−ＪＰＥＧ画像データにはサイズという概念がなく、純粋な画素数（縦×横ドット数）の指定しかない。
【０００４】
そのような中、インタフェース部を介して構成されたネットワーク内の外部装置の出力能力を収集し、データメモリ内でテーブルとして管理する一方、このテーブル内から転送先となる外部装置を選択しておき、通信回線を介して選択した外部装置の出力能力を相手通信装置に通知し、受信した画像データに応じた装置で該画像データを出力させる技術が提案されている（例えば、特許文献１参照）。
【０００５】
また、モノクロとカラーの画像の受信が可能であって、複数の記録能力から１つを選択して記録を行うことが可能な記録部を備え、受信画像がカラー画像であるか或いはモノクロ画像であるか、及び記録部の記録能力を判別し、受信画像と記録能力の間に不一致がある場合、受信画像の記録に際して不一致に伴う弊害がある旨をユーザに報知し、ユーザが弊害を許容する場合に、強制的に記録する技術が提案されている（例えば、特許文献２参照）。
【０００６】
【特許文献１】
特開平８−２４２３１１号公報
【０００７】
【特許文献２】
特開２００１−７８０４４
【０００８】
【発明が解決しようとする課題】
しかしながら、上記特許文献１記載の技術では、選択した外部装置で画像データを出力し得、また画像データの転送を許可するか否かを選択できるが、カラー画像データ、特にｓＹＣＣ−ＪＰＥＧ画像データについての記載はない。
【０００９】
上記特許文献２記載の技術では、モノクロとカラーの画像と記載されているだけで、カラー画像がＣＩＥＬＡＢ−ＪＰＥＧ画像データだけを対象にしているのか、それともｓＹＣＣ−ＪＰＥＧ画像データも含むものなのか、明記されていない。
【００１０】
このような実状から、ｓＹＣＣ−ＪＰＥＧ画像データを受信した場合に、どのように取り扱うかが問われており、単に他の機器に転送できない、若しくはプリンタでプリントできないという理由で、ｓＹＣＣ−ＪＰＥＧ画像データの受信を止めたりデータを消去したりするといったことは避けたい要望がある。
【００１１】
この発明は、そのような現状に着目してなされたものであって、デジタルカメラ等で撮影されたカラー画像データを受信した場合でも、そのカラー画像データを不用意に失わないようにしたカラー画像通信装置を提供することを目的としている。
【００１２】
【課題を解決するための手段】
前記目的を達成するために、この発明の請求項１記載のカラー画像通信装置は、ファクシミリ通信手順に則したカラー画像データと、ｓＹＣＣ−ＪＰＥＧ色空間の画像データとが受信可能なものであって、ｓＹＣＣ−ＪＰＥＧ色空間の画像データを受信した場合に、そのｓＹＣＣ−ＪＰＥＧ色空間の画像データを記憶する記憶手段と、そのｓＹＣＣ−ＪＰＥＧ色空間の画像データを受信したことを報知する報知手段と、そのｓＹＣＣ−ＪＰＥＧ色空間の画像データの処遇をユーザに問う選択手段とを備えたことを特徴とする。
【００１３】
この装置では、ｓＹＣＣ−ＪＰＥＧ色空間の画像データを受信した場合、取り敢えずそのｓＹＣＣ−ＪＰＥＧ色空間の画像データを記憶手段に記憶するので、受信したｓＹＣＣ−ＪＰＥＧ色空間の画像データを不用意に失うことを防ぐことができる。
【００１４】
また、ユーザは、ｓＹＣＣ−ＪＰＥＧ色空間の画像データを受信したことを報知手段の報知により知ることができる。その後、ユーザは、選択手段で問われたｓＹＣＣ−ＪＰＥＧ色空間の画像データの処遇を選択する。ここでいう、画像データの処遇とは、記憶手段に一旦記憶された画像データを自機の画像記録手段で記録するか、他の機器に転送するか、消去するか、などである。
【００１５】
【発明の実施の形態】
以下、実施の形態により、この発明を更に詳細に説明する。
【００１６】
その実施形態に係るカラー画像通信装置の構成の一例を示すブロック図を図１に示す。このカラー画像通信装置は、コピー装置とファクシミリ装置を兼用する複合機として構成したものである。
【００１７】
図１において、主制御部としてのＣＰＵ（中央処理装置）１は、当該装置を構成する各部を統括制御する機能を有する。
【００１８】
このＣＰＵ１には、ＮＣＵ（網制御回路：Ｎｅｔｗｏｒｋ　Ｃｏｎｔｒｏｌ　Ｕｎｉｔ）２、ＭＯＤＥＭ３、ＲＯＭ４、ＲＡＭ５、画像メモリ（記憶手段）６、表示部７、操作部８、画像読み取り部９、画像記録部（プリンタ、画像記録手段）１０、ＣＯＤＥＣ（符号化・復号器：Ｃｏｄｅｒ　ａｎｄ　Ｄｅｃｏｄｅｒ　）１１、ＬＡＮ　Ｉ／Ｆ１２がバス１３を介して接続されている。
【００１９】
ＮＣＵ２は、ＣＰＵ１により制御されて、通信回線である電話回線網（ＰＳＴＮ）１４との接続を制御するとともに、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順に基づいて、Ｖ．１７、Ｖ．２７ｔｅｒ、Ｖ．２９等に従った送信データの変調及び受信データの復調を行うが、Ｖ．８、Ｖ．３４を用いたＶ．３４ＦＡＸにも適用可能である。具体的には本来はデジタル信号である送信データをアナログの音声信号に変調してＮＣＵ２を介して電話回線網１４に送出し、また逆に電話回線網１４からＮＣＵ２を介して受信したアナログの音声信号をデジタル信号に復調する。
【００２０】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶し、また外部から電話回線網１４とＭＯＤＥＭ３を介して受信した画像データ（ＣＩＥＬＡＢ−ＪＰＥＧ画像データ及びｓＹＣＣ−ＪＰＥＧ画像データを含む）も圧縮状態で記憶する。
【００２１】
表示部７は、アイコン、キーボタンの表示や、データの送受信に必要なメッセージ内容、操作部８の操作により入力された電話番号やＦＡＸ番号等を表示する。また、表示部７は、ｓＹＣＣ−ＪＰＥＧ色空間の画像データを受信した旨を表示することで、ユーザに報知する機能を有する。この表示部７としては、ＣＲＴディスプレイやＬＣＤ（液晶表示装置）が用いられる。
【００２２】
操作部８は、表示部７に表示されたｓＹＣＣ−ＪＰＥＧ色空間の画像データの処遇（画像メモリ６に一旦記憶された画像データを自機の画像記録部１０で記録するか、ＬＡＮ　Ｉ／Ｆ１２を介して外部機器に転送するか、消去するか）を選択するキーを有する。従って、この実施形態では、表示部７と操作部８で選択手段が構成される。この他、操作部８は、電話番号やＦＡＸ番号を入力するためのテンキー、相手先の電話番号やＦＡＸ番号をワンタッチで呼び出すワンタッチキー、相手先の電話番号やＦＡＸ番号を短縮登録する登録キー、ＦＡＸやコピーの開始等を指示するスタートキー、ＦＡＸモード・コピーモード・スキャナモード等の複数の動作モードについてのモード切替えを行うための動作モード切替キー等を有する。
【００２３】
画像読み取り部９は、ＦＡＸ送信するとき又はコピーするときに、原稿の画像データを光学的に走査して読み取る。この画像読み取り部９は、カラー画像の読み取りも可能である。画像記録部１０は、電子写真方式のプリンタよりなり、受信画像データやコピー動作において画像読み取り部９で読み取った原稿の画像データを記録紙上に記録する。また、画像記録部１０は、ｓＹＣＣ−ＪＰＥＧ色空間の画像データを受信した旨を記録することで、ユーザに報知する機能を有する。この画像記録部１０は、カラープリントも可能である。
【００２４】
ＣＯＤＥＣ１１は、読み取った画像データを送信又は記憶するためにＭＨ、ＭＲ、ＭＭＲ方式等により符号化（エンコード）し、受信画像データを画像記録部１０により記録するために復号（デコード）する。ＬＡＮ　Ｉ／Ｆ１２は、ＰＣ（パーソナルコンピュータ）、その他のＬＡＮ（ローカルエリアネットワーク）１５を構成する外部機器と接続され、ここを介して外部機器とのデータ授受を行う。
【００２５】
次に、このカラー画像通信装置における画像データの受信動作について、図２のフロー図を参照して説明する。まず、ステップＳＴ１において、相手（発呼先）から着信があると、これをファクシミリ受信する。次いで、ステップＳＴ２において、受信データはカラー画像データであるか判定し、モノクロ画像データである場合は、ステップＳＴ６において、画像記録部１０により通常のプリント処理を行う。
【００２６】
ステップＳＴ２において、受信データがカラー画像データである場合は、ステップＳＴ３において、更にそのカラー画像データはＣＩＥＬＡＢ−ＪＰＥＧ画像データなのか判定し、そうであるなら、ステップＳＴ６において、画像記録部１０により通常のプリント処理を行う。
【００２７】
これに対して、カラー画像データがｓＹＣＣ−ＪＰＥＧ画像データであるときは、ステップＳＴ４において、ｓＹＣＣ−ＪＰＥＧ画像データを受信したことをユーザに報知する。この報知は、前記したように、表示部７に表示するか、画像記録部１０で記録する。この他、ブザーにより報知してもよい。その後、ステップＳＴ５において、受信したｓＹＣＣ−ＪＰＥＧ画像データを画像メモリ６に記憶し、当該処理を終了する。
【００２８】
次に、ユーザがｓＹＣＣ−ＪＰＥＧ画像データを受信したことを報知により確認した後の該画像データの処遇について、図３のフロー図を参照して説明する。但し、この処理は、受信した画像データを画像記録部１０でプリントする場合である。
【００２９】
まず、ステップＳＴ１１において、画像メモリ６に蓄積された画像データをプリントする操作をユーザが操作部８により実行すると、ステップＳＴ１２において、該当画像データがカラー画像データであるか判定する。該当画像データがモノクロ画像データである場合は、ステップＳＴ２３において、画像記録部１０により通常のプリント処理を行う。
【００３０】
該当画像データがカラー画像データ（ｓＹＣＣ−ＪＰＥＧ画像データ）である場合は、ステップＳＴ１３において、フラグをクリアする。そして、ステップＳＴ１４において、ユーザに対してそのカラー画像データをプリントするか問い、ユーザが操作部８によりＹＥＳの回答をしたときは、ステップＳＴ１５において、フラグにプリント要求を立てる。次いで、ステップＳＴ１６において、ユーザに対してそのカラー画像データを保存するか問い、ユーザが操作部８によりＹＥＳの回答をしたときは、ステップＳＴ１７において、フラグに保存要求を立てる。
【００３１】
一連の選択が終わったら、ステップＳＴ１８において、フラグにプリント要求が有るか判定し、有るなら、ステップＳＴ１９において、プリント処理をする。つまり、画像記録部１０によりカラー画像データをプリントする。プリント要求が無いときは、ステップＳＴ１９をスキップする。続いて、ステップＳＴ２０において、フラグに保存要求が有るか判定し、有るなら、ステップＳＴ２１において、画像メモリ６に記憶したカラー画像データをそのまま保存し、当該処理を終了する。保存要求が無いときは、ステップＳＴ２２において、画像メモリ６に記憶してあるカラー画像データを消去し、当該処理を終了する。
【００３２】
【発明の効果】
以上説明したように、本発明によれば、ｓＹＣＣ−ＪＰＥＧ色空間の画像データを受信した場合、取り敢えずそのｓＹＣＣ−ＪＰＥＧ色空間の画像データを記憶手段に記憶するので、受信したｓＹＣＣ−ＪＰＥＧ色空間の画像データを不用意に失うことを防ぐことができる。
【図面の簡単な説明】
【図１】実施形態に係るカラー画像通信装置（コピー装置とファクシミリ装置を兼用する複合機）の構成の一例を示すブロック図である。
【図２】同カラー画像通信装置における画像データの受信動作を示すフロー図である。
【図３】同カラー画像通信装置において、ユーザがｓＹＣＣ−ＪＰＥＧ画像データを受信したことを報知により確認した後の該画像データの処遇の一例を示すフロー図である。
【符号の説明】
１　　　主制御部（ＣＰＵ）
２　　　ＮＣＵ
３　　　ＭＯＤＥＭ
４　　　ＲＯＭ
５　　　ＲＡＭ
６　　　画像メモリ（記憶手段）
７　　　表示部
８　　　操作部
９　　　画像読み取り部
１０　　画像記録部（画像記録手段）
１１　　ＣＯＤＥＣ
１２　　ＬＡＮ　Ｉ／Ｆ
１３　　バス
１４　　電話回線網
１５　　ＬＡＮ
【図１】
2004140542.tif 000003
【図２】
2004140542.tif 000004
【図３】
2004140542.tif 000005